(57)【要約】      （修正有）【課題】外気の温度変化を簡易的に表示する温度感知シールと紫外線の強度を表示する紫外線感知チェッカーとが同一体上に隣設された温度・紫外線感知機能付きゴルフマーカーを提供する。【解決手段】外気の温度変化を所定の温度範囲で段階的に変色する可逆性熱変色層を、温度順に連続してシール上に配設した温度感知シール２と、紫外線の強さにより可逆的に変色する染料が印刷された紫外線チェッカー３とが、同一体上に隣設された温度・紫外線感知チェッカーを、基板体上に固着して形成した温度・紫外線感知機能付きゴルフマーカー１と、これを磁着保持するゴルフマーカー保持体７と、裏面にゴルフマーカー保持体と協働して帽子のひさし等の挟持部を挟み込むために弾圧的に設けられたクリップ体１０とを有するゴルフマーカーホルダーとを備える。【選択図】図４
0003136845.tif 000002
【実用新案登録請求の範囲】
【請求項１】
外気の温度変化を所定の温度範囲で段階的に変色する可逆性熱変色層を温度順に連続してシール上に配設した温度感知シールと紫外線の強さにより可逆的に変色する染料が印刷された紫外線チェッカーとが同一体上に隣設された温度・紫外線感知チェッカーを基板体上に固着してゴルフマーカーを形成したことを特徴とする温度・紫外線感知機能付きゴルフマーカー。
【請求項２】
前記温度感知シールは、所定の温度範囲で変色する可逆性熱変色層に対応する温度を、数値で可逆性熱変色層上に表示して視認可能としたことを特徴とする請求項１に記載の温度・紫外線感知機能付きゴルフマーカー。
【請求項３】
温度・紫外線感知機能付きゴルフマーカーを磁着保持するゴルフマーカー保持体と該ゴルフマーカー保持体の裏面に該ゴルフマーカー保持体と協働して帽子のひさし等の挟持部を挟み込むために該ゴルフマーカー保持体に弾圧的に設けられたクリップ体とを有することを特徴とするゴルフマーカーホルダー。
【請求項４】
前記ゴルフマーカーの基板体及び前記ゴルフマーカー保持体の何れか一方が磁性体、他方が前記磁性体に磁着される金属で形成されたことを特徴とする請求項１乃至請求項３の何れか１項に記載の温度・紫外線感知機能付きゴルフマーカー及びゴルフマーカーホルダー。
【請求項５】
前記温度・紫外線感知機能付きゴルフマーカーを前記ゴルフマーカー保持体に磁着保持させたとき、少なくとも１箇所以上、前記温度・紫外線感知機能付きゴルフマーカーが前記ゴルフマーカー保持体より外にはみ出す大きさとしたことを特徴とする請求項１乃至請求項４の何れか１項に記載の温度・紫外線感知機能付きゴルフマーカー及びゴルフマーカーホルダー。
【考案の詳細な説明】
【技術分野】
【０００１】
本考案は、ゴルフのグリーン場で使用するゴルフマーカー及びゴルフマーカーホルダーに関し、より詳しくは、ゴルフ等のアウトドアスポーツを行なう場合、猛暑からプレーヤーを保護する温度・紫外線感知機能付きゴルフマーカー及びゴルフマーカーホルダーに関する。
【背景技術】
【０００２】
ゴルフをはじめとする各種アウトドアスポーツは、市民生活の楽しみとして、広く一般化しており参加者は増加する傾向にある。しかしながら、一度プレイに入ると、半日間は炎天下に曝されることが普通である。このように猛暑の中でゴルフ等のアウトドアスポーツを行なう場合、熱中症などのスポーツ事故を起こしたり、紫外線の被爆による皮膚への悪影響が問題となる。
【０００３】
この熱中症の要因である外気の温度変化を色の連続変化により簡易的に表示する熱変色性印刷物が知られている（例えば、特許文献１参照）。また、紫外線の強弱を容易に知ることができる紫外線表示装置を外出時に携帯する携帯品に取り付ける携帯品用紫外線表示具が知られている（例えば、特許文献２参照）。
【０００４】
【特許文献１】実開昭６０−５６２４２号公報
【特許文献２】特開２００５−２４９４７４号公報
【考案の開示】
【考案が解決しようとする課題】
【０００５】
しかしながら、今までは猛暑の中でゴルフ等のアウトドアスポーツを行なう場合、暑さや日焼け対策のための用具は種々存在するが、それらは熱中症とか紫外線対策には効果がないという問題点があった。
【０００６】
本考案は、上記の問題点に鑑みて、外気の温度変化を簡易的に表示する温度感知シールと紫外線の強度を表示する紫外線感知チェッカーとが同一体上に隣設された温度・紫外線感知チェッカーを基板体上に固着して形成した温度・紫外線感知機能付きゴルフマーカーを提供することを目的とする。
【課題を解決するための手段】
【０００７】
上記目的を達成するため、請求項１記載の温度・紫外線感知機能付きゴルフマーカーは、外気の温度変化を所定の温度範囲で段階的に変色する可逆性熱変色層を温度順に連続してシール上に配設した温度感知シールと紫外線の強さにより可逆的に変色する染料が印刷された紫外線チェッカーとが同一体上に隣設された温度・紫外線感知チェッカーを基板体上に固着してゴルフマーカーを形成したことを特徴とするものである。
【０００８】
また、請求項２記載の温度・紫外線感知機能付きゴルフマーカーは、請求項１に記載の温度・紫外線感知機能付きゴルフマーカーであって、温度感知シールは、所定の温度範囲で変色する可逆性熱変色層に対応する温度を、数値で可逆性熱変色層上に表示して視認可能としたことを特徴とするものである。
【０００９】
また、請求項３記載のゴルフマーカーホルダーは、温度・紫外線感知機能付きゴルフマーカーを磁着保持するゴルフマーカー保持体と該ゴルフマーカー保持体の裏面に該ゴルフマーカー保持体と協働して帽子のひさし等の挟持部を挟み込むために該ゴルフマーカー保持体に弾圧的に設けられたクリップ体とを有することを特徴とするものである。
【００１０】
また、請求項４記載の温度・紫外線感知機能付きゴルフマーカー及びゴルフマーカーホルダーは、請求項１乃至請求項３の何れか１項に記載の温度・紫外線感知機能付きゴルフマーカー及びゴルフマーカーホルダーであって、ゴルフマーカーの基板体及びゴルフマーカー保持体の何れか一方が磁性体、他方が磁性体に磁着される金属で形成されたことを特徴とするものである。
【００１１】
また、請求項５記載の温度・紫外線感知機能付きゴルフマーカー及びゴルフマーカーホルダーは、請求項１乃至請求項４の何れか１項に記載の温度・紫外線感知機能付きゴルフマーカー及びゴルフマーカーホルダーであって、温度・紫外線感知機能付きゴルフマーカーをゴルフマーカー保持体に磁着保持させたとき、少なくとも１箇所以上、温度・紫外線感知機能付きゴルフマーカーがゴルフマーカー保持体より外にはみ出す大きさとしたことを特徴とするものである。
【考案の効果】
【００１２】
本考案の温度・紫外線感知機能付きゴルフマーカー及びゴルフマーカーホルダーによれば、外気の温度変化を所定の温度範囲で段階的に変色する可逆性熱変色層を温度順に連続してシール上に配設した温度感知シールと紫外線の強さにより可逆的に変色する染料が印刷された紫外線チェッカーとが同一体上に隣設された温度・紫外線感知チェッカーを基板体上に固着してゴルフマーカーを形成したので、いつ何時でも熱中症などのスポーツ事故や紫外線の被爆による皮膚への悪影響を予防することができる。
【００１３】
また、温度感知シールは、所定の温度範囲で変色する可逆性熱変色層に対応する温度を、数値で可逆性熱変色層上に表示して視認可能としたので、色だけでなく具体的な温度を表示するので速やかに対応が可能である。
【００１４】
また、ゴルフマーカーホルダーは、温度・紫外線感知機能付きゴルフマーカーを磁着保持するゴルフマーカー保持体と該ゴルフマーカー保持体の裏面に該ゴルフマーカー保持体と協働して帽子のひさし等の挟持部を挟み込むために該ゴルフマーカー保持体に弾圧的に設けられたクリップ体とを有するので、帽子のひさし等に止め、常に太陽にさらすことが可能である。
【００１５】
また、ゴルフマーカーの基板体及びゴルフマーカー保持体の何れか一方が磁性体、他方が磁性体に磁着される金属で形成されたので、ゴルフマーカーの取り付け、取り外しを容易に行なうことができる。
【００１６】
また、温度・紫外線感知機能付きゴルフマーカーをゴルフマーカー保持体に磁着保持させたとき、少なくとも１箇所以上、温度・紫外線感知機能付きゴルフマーカーがゴルフマーカー保持体より外にはみ出す大きさとしたので、特に、ゴルフマーカーの取り外しを更に容易に行なうことができる。
【考案を実施するための最良の形態】
【００１７】
本考案の実施の形態を、添付図面に例示した本考案の実施例に基づいて以下に具体的に説明する。
【実施例】
【００１８】
図１（ａ）は、本考案の一実施形態に係る温度・紫外線感知機能付きゴルフマーカーの平面図、（ｂ）は、正面図である。図２は、温度・紫外線感知機能付きゴルフマーカーの温度感知シールを拡大した部分図である。
【００１９】
この実施形態における温度・紫外線感知機能付きゴルフマーカー１は、図１（ａ）、（ｂ）に示すように、外気の温度変化を所定の温度範囲で段階的に変色する可逆性熱変色層２１、２２、２３、２４・・・を温度順に連続してシール上に配設した温度感知シール２と紫外線の強さにより可逆的に変色する染料が印刷された紫外線チェッカー３とが同一体上に隣設された温度・紫外線感知チェッカー４を基板体５上に固着して形成されている。
【００２０】
温度感知シール２は、図２に示すように、所定の温度範囲で変色する可逆性熱変色層２１、２２、２３、２４・・・に対応する温度を、例えば、３０、３２、３４、３６・・・のように、数値で可逆性熱変色層２１、２２、２３、２４・・・上に表示して視認可能としても良い。
【００２１】
図３（ａ）は、本考案の一実施形態に係るゴルフマーカーホルダーの平面図、（ｂ）は、側面図である。図４（ａ）は、ゴルフマーカーホルダーに温度・紫外線感知機能付きゴルフマーカーを磁着保持した平面図、（ｂ）は、側面図である。
【００２２】
ゴルフマーカーホルダー６は、温度・紫外線感知機能付きゴルフマーカー１を磁着保持するゴルフマーカー保持体７とゴルフマーカー保持体７の裏面にゴルフマーカー保持体７と協働して帽子８のひさし等の挟持部９を挟み込むためにゴルフマーカー保持体７に弾圧的に設けられたクリップ体１０とを有する。
【００２３】
ゴルフマーカーの基板体５及びゴルフマーカー保持体７の何れか一方が磁性体で形成されているので、図４（ａ）、（ｂ）に示すように、温度・紫外線感知機能付きゴルフマーカー１をゴルフマーカー保持体７に磁着保持することができる。
【００２４】
次に、温度・紫外線感知機能付きゴルフマーカー１を用いてゴルフをプレイする手順を説明する。
【００２５】
ゴルフのプレイにあたり、温度・紫外線感知機能付きゴルフマーカー１をゴルフマーカーホルダー６のゴルフマーカー保持体７に磁着保持する。ゴルフのプレイ中は、図５に示すように、温度・紫外線感知機能付きゴルフマーカー１を磁着保持したゴルフマーカーホルダー６をクリップ体１０により帽子８の挟持部９に止めておく。
【００２６】
グリーン上でゴルフマーカーが必要になったらゴルフマーカーホルダー６からゴルフマーカーを外してグリーン上に置く。グリーン上に置く都度、温度感知シール２と紫外線チェッカー３とにより外気の温度及び紫外線の強さを確認できるので、外気の温度及び紫外線の強さに問題がある場合は、涼しい場所で休憩を取ることができる。
【００２７】
以上説明したように、温度・紫外線感知機能付きゴルフマーカーを保持するゴルフマーカーホルダーはクリップ体により帽子等に止められているので、常に太陽にさらされる状態にある。従って外気の温度及び紫外線の強さを温度感知シールと紫外線チェッカーとによりタイムリーに測定することができる。
【００２８】
また、温度・紫外線感知機能付きゴルフマーカーはゴルフマーカーホルダーに磁着保持されているので、ゴルフマーカーの取り付け、取り外しを容易に行なうことができる。
【００２９】
特に、温度・紫外線感知機能付きゴルフマーカーをゴルフマーカー保持体に磁着保持させたとき、少なくとも１箇所以上、温度・紫外線感知機能付きゴルフマーカーがゴルフマーカー保持体より外にはみ出す大きさとしたので、ゴルフマーカーの取り外しを更に容易に行なうことができる。
【００３０】
なお、以上の説明では、温度・紫外線感知チェッカーをゴルフマーカーに応用した実施例について説明したが、ゴルフに限らず、野球等の真夏のスポーツ、登山、キャンプ等の野外活動においても効果があることは言うまでもないことである。
【図面の簡単な説明】
【００３１】
【図１】（ａ）は、本考案の一実施形態に係る温度・紫外線感知機能付きゴルフマーカーを示す平面図、（ｂ）は、その正面図である。
【図２】図１に示す温度・紫外線感知機能付きゴルフマーカーの温度感知シールを拡大した部分図である。
【図３】（ａ）は、本考案の一実施形態に係るゴルフマーカーホルダーを示す平面図、（ｂ）は、その側面図である。
【図４】（ａ）は、ゴルフマーカーホルダーに温度・紫外線感知機能付きゴルフマーカーを磁着保持した状態を示す平面図、（ｂ）は、その側面図である。
【図５】温度・紫外線感知機能付きゴルフマーカーを磁着保持したゴルフマーカーホルダーをクリップ体により帽子等に止めた状態を示す概念図である。
【符号の説明】
【００３２】
１  温度・紫外線感知機能付きゴルフマーカー
２  温度感知シール
２１、２２、２３、２４・・・  可逆性熱変色層
３  紫外線チェッカー
４  温度・紫外線感知チェッカー
５  基板体
６  ゴルフマーカーホルダー
７  ゴルフマーカー保持体
８  帽子
９  挟持部
１０  クリップ体
【図１】
0003136845.tif 000003
【図２】
0003136845.tif 000004
【図３】
0003136845.tif 000005
【図４】
0003136845.tif 000006
【図５】
0003136845.tif 000007